(57)【要約】【課題】微生物処理効果に優れ、各種有害物質を取り除くことができる緩速濾過装置を提供する。【解決手段】濾過槽２と前処理槽３とからなり、前処理槽内３には前処理槽３内に送り込まれた原水にエアーを供給するエアーの供給部４が設けられ、濾過槽２は透明で耐熱性、耐寒性、耐震性に優れた材料で作られていて、上端近傍に前処理槽３から送り込まれた原水を取り入れる原水取り入れ口１２を設け、この濾過槽２の内部に０．０８〜０．２９ｍｍの大きさの粒径の砂からなり上段側ほど粒径が小さくなるように積層された細砂層９が設けられ、濾過槽２の内部においてメッシュの大きさが０．１ｍｍ程度のステンレス製のネット１０が細砂層９の最上段を覆うように設けられ、濾過槽２の下端に処理水取り出し口１３を設けた。【選択図】図１
2010179298.tif 000002
【特許請求の範囲】
【請求項１】
前処理槽と濾過槽とからなり、前処理槽内には前処理槽内に送り込まれた原水にエアーを供給するエアーの供給部が設けられ、前記濾過槽は透明なアクリル、ポリカーボネートなどの耐熱性、耐寒性、耐震性に優れた材料で作られていて、上端近傍に前処理槽から送り込まれた原水を取り入れる原水取り入れ口を設け、この濾過槽の内部に上段側ほど粒径が小さくなるように積層された支持砂層と、この支持砂層の上に最上段の支持砂層の砂の粒径よりも小さな０．０８〜０．２９ｍｍの大きさの粒径の砂からなり上段側ほど粒径が小さくなるように積層された細砂層が設けられ、濾過槽の内部においてメッシュの大きさが０．１ｍｍ程度のステンレス製のネットが細砂層の最上段を覆うように設けられ、前記濾過槽には原水取り入れ口よりも下側位置で原水引き抜き口を設け、濾過槽の下端に処理水取り出し口を設けたことを特徴とする緩速濾過装置。
【請求項２】
濾過槽には前処理槽でエアーの供給部から供給されるエアーにより酸素量が増加し、水温２０〜２２℃に調整された原水が送り込まれるようにしたことを特徴とする請求項１記載の緩速濾過装置。
【請求項３】
前処理槽に原水が送り込まれる上手側の取水口の上手側表面にメッシュの大きさが０．１ｍｍ程度のネットを装着したことを特徴とする請求項１または２記載の緩速濾過装置。
【請求項４】
前処理槽内にこの前処理槽の内面との間に間隔があくように、上端が開放し下端が閉じられた筒状で周囲の側壁に無数の孔部が形成された籠体と、この籠体の周囲の側壁を外側から覆うように籠体に装着されたメッシュの大きさが０．１ｍｍ程度のネットからなる泥状物質除去装置を装備し、前処理槽内において前記籠体の内底部にエアーの供給部を設け、濾過槽の上端近傍に前記籠体内から送り込まれた原水を取り入れる原水取り入れ口を設けたことを特徴とする請求項１または２記載の緩速濾過装置。
【発明の詳細な説明】
【技術分野】
【０００１】
本発明は、飲用水などを生成するための緩速濾過装置に関するものである。
【背景技術】
【０００２】
一般に、河川や地下などから取水した水（以下「原水」という）を飲料水として生成する濾過装置には、緩速濾過装置と急速濾過装置が知られている。古くは急速濾過装置に比べて濾過速度が遅い緩速濾過装置が主流であったが、緩速濾過装置は前述のように濾過速度が遅く、水源の汚染が激しいと濾過砂層が目詰まりして濾過能力が低下するという問題があり、さらには人口の増加や産業の発展に伴い、濾過能力の大きな急速濾過装置が使用されてきた。しかしながら、急速濾過装置は濾過能力の大きいものの、塩素などの薬品を使用することから、処理された水は薬品臭く、また水源から取り入れた水に含まれる物質と薬品が反応して発癌性物質が生成されるなどの問題が生じ、さらには塩素が効かないクリプトス汚染が発生するなどの問題も生じており、濾過速度が遅いが、飲料水として安全な水を作ることのできる緩速濾過装置が見直されつつある。
【０００３】
緩速濾過装置は具体的には被処理水を濾過砂層内をゆっくりと通過させ、砂壁に付着している微生物が被処理水の汚れを取り除くように構成されている。この緩速濾過装置の濾過砂として、一般には粒度を整えた海砂、山砂、川砂などが用いられる。
【０００４】
ところで、濾過砂の洗浄濁度には規格が設けられており、この洗浄濁度は３０度以下で、有機性不純物や雑菌、その他の夾雑物の付着ができるだけ少なくなければならない。そして、この従来の緩速濾過装置および緩速濾過方法において、海砂、山砂、川砂をそのまま濾過砂層として用いるために、規定の洗浄濁度を得、有機性不純物や雑菌、その他の夾雑物を除去するまで洗浄するのに可なりの時間と手間を要していた。
【０００５】
そこで、濾過砂層に使用される砂に付着する有機性不純物や雑菌、その他の夾雑物を効率的に取り除いておき、濾過砂層を通過して得られた水は飲み水として安全に利用できるようにした緩速濾過装置として、特許文献１に開示されている装置が知られている。
【０００６】
この特許文献１に開示されている緩速濾過装置は、所定の高さおよび径を有した濾過水槽の上部に原水供給部が設けられ、下部に濾過水取出し部が設けられ、前記濾過水槽に、所定温度で焼き洗浄水により洗浄を繰り返し行なった後の焼き砂からなる濾過槽が内装されている緩速濾過装置において、前記濾過槽は上側の第一の濾過層と下側の第二の濾過層とからなり、第一の濾過層は０．１５ｍｍ〜０．２９ｍｍの粒度の焼き砂で形成されて、この第一の濾過層の焼き砂の表面に微生物膜を形成するように構成され、この第一の濾過層上に複数枚の濾過布が上から順に取り出し可能に敷設されてなるもので、上側の第一の濾過層を０．１５ｍｍ〜０．２９ｍｍの粒度の焼き砂で形成してあることにより、塩素で除去できない原虫（クリプトスポリジウム、サイクロスポーラー、ジアルジア）などを捕獲するとともに、水中でほとんど溶けないダイオキシンを、主として第一の濾過層の最上部で捕獲するものである。また、この焼き砂からなる濾過膜で原水を濾過することにより、砂の表面に微生物膜（スライム）を形成し、自然の浄化力と微生物による分解作用で水中の濁りや雑菌だけでなく、有害成分からカビ臭の成分まで取り除き、水質検査の基準値を大きく上回る人体に対し安全な飲み水を得ることができる。また、第一の濾過層の上に設けられる濾過布により予め大きな不純物を取り除くことができるので、粒度の非常に小さな焼き砂からなる第一の濾過層の目詰まりを極力抑えることができ、しかも濾過布は複数枚設けられて、目詰まりした濾過布が上から順に取り出し可能となっているので、１度取り替えた後の濾過布の使用期間が長くなり、長期に亘って連続運転が可能になるというものである。
【先行技術文献】
【特許文献】
【０００７】
【特許文献１】特許第３４０６２５８号公報
【発明の概要】
【発明が解決しようとする課題】
【０００８】
しかしながら、最近になって越境公害として黄砂による環境汚染問題が取り上げられている。黄砂粒子には土壌起源ではないかと考えられるアンモニウムイオン、硫酸イオンなどの有害物質が多く含まれており、飲料水の基になる河川水や地下水などに多く降り注いでいるものと考えられる。上記特許文献１に開示されている緩速濾過装置によれば、殆んどの有害物質を取り除くことができるが、黄砂粒子に付着しているトリクロロエチレンやテトラクロロエチレンなどの揮発性の有害物質を曝気させて処理することは不可能である。この揮発性の有害物質は黄砂粒子に限らず、メッキ工場から出る排水中にも含まれている場合があり、河川水や地下水などに入り込むと飲料水に至るまでに処理しきれないというのが現状である。
【０００９】
本発明の目的は、このような課題を解決するものであり、トリクロロエチレンやテトラクロロエチレンなどの揮発性の有害物質の他、各種有害物質を取り除くことができるとともに、緩速濾過装置内に溜まった化石土などの泥状物質を運転を停止させることなく取り除くことができ、微生物処理効果に優れた緩速濾過装置を提供することにある。
【課題を解決するための手段】
【００１０】
本発明の請求項１に記載の緩速濾過装置は、前処理槽と濾過槽とからなり、前処理槽内には前処理槽内に送り込まれた原水にエアーを供給するエアーの供給部が設けられ、前記濾過槽は透明なアクリル、ポリカーボネートなどの耐熱性、耐寒性、耐震性に優れた材料で作られていて、上端近傍に前処理槽から送り込まれた原水を取り入れる原水取り入れ口を設け、この濾過槽の内部に上段側ほど粒径が小さくなるように積層された支持砂層と、この支持砂層の上に最上段の支持砂層の砂の粒径よりも小さな０．０８〜０．２９ｍｍの大きさの粒径の砂からなり上段側ほど粒径が小さくなるように積層された細砂層が設けられ、濾過槽の内部においてメッシュの大きさが０．１ｍｍ程度のステンレス製のネットが細砂層の最上段を覆うように設けられ、前記濾過槽には原水取り入れ口よりも下側位置で原水引き抜き口を設け、濾過槽の下端に処理水取り出し口を設けたことを特徴とする。
【００１１】
請求項２に記載の緩速濾過装置は、濾過槽には前処理槽でエアーの供給部から供給されるエアーにより酸素量が増加し、水温２０〜２２℃に調整された原水が送り込まれるようにしたことを特徴とする。
【００１２】
請求項３に記載の緩速濾過装置は、前処理槽に原水が送り込まれる上手側の取水口の上手側表面にメッシュの大きさが０．１ｍｍ程度のネットを装着したことを特徴とする。
請求項４に記載の緩速濾過装置は、前処理槽内にこの前処理槽の内面との間に間隔があくように、上端が開放し下端が閉じられた筒状で周囲の側壁に無数の孔部が形成された籠体と、この籠体の周囲の側壁を外側から覆うように籠体に装着されたメッシュの大きさが０．１ｍｍ程度のネットからなる泥状物質除去装置を装備し、前処理槽内において前記籠体の内底部にエアーの供給部を設け、濾過槽の上端近傍に前記籠体内から送り込まれた原水を取り入れる原水取り入れ口を設けたことを特徴とする。
【発明の効果】
【００１３】
以上のように、本発明の緩速濾過装置は、濾過槽が透明なアクリル、ポリカーボネートなどの耐熱性、耐寒性、耐震性に優れた材料で作られているので、濾過槽内における水温が外気温に影響されないように構成されており、例えば水温２０〜２２℃程度に調整された原水が濾過槽内に存在すること、濾過槽は透明であり集光量が多くなること、前処理槽内でエアーが供給されることにより原水中の酸素量が多いことにより濾過槽２内に微生物を繁殖させる環境が整い、細砂層上で原水中の微生物が捕捉されて徐々に繁殖して微生物膜を形成する。そして、この微生物膜により、自然の浄化力と微生物による分解作用で水中の濁りや雑菌だけでなく、有害成分からカビ臭の成分まで取り除くのに効果を発揮させることができる。また、粒径０．０８〜０．２９ｍｍの大きさの砂からなり上段側ほど粒径が小さくなるように積層された細砂層の最上部により塩素で除去できない原虫（クリプトスポリジウム、サイクロスポーラー、ジアルジア）などを捕獲するとともに、水中でほとんど溶けないダイオキシンを捕獲することができる。また、前記ネットの上側に堆積した泥状物質などの除去を吸引ポンプを介して泥状物質吸引口で行なえ、そのときネットの上側に堆積した泥状物質を泥状物質吸引口で取り除きながら、原水取り入れ口からの原水の供給を停止させることなく連続運転が可能となる。また、原水中に存在するトリクロロエチレンやテトラクロロエチレンなどの揮発性の有害物質の分解処理を前処理槽内でエアーの供給部よりエアーを供給することにより行なうようになっており、濁度の安全基準をクリアした飲み水として人体に安全な処理水を得ることができる。また、前処理槽で原水中に含まれる比重の大きな鉄分などを沈殿させ、濾過槽への流入を減らすことができる。さらに、河川水や地下水を原水として用いるに当たって、河川水や地下水の中に多量の汚濁泥状物質が含まれている場合でも、濾過槽内の処理部の上手側でメッシュの大きさが０．１ｍｍ程度のネットにより原水中の汚濁泥状物質を取り除くことができるので、濾過槽内の処理部での汚濁泥状物質の沈殿量が極減し、濾過効率を向上できる。
【図面の簡単な説明】
【００１４】
【図１】本発明の第１の実施の形態における緩速濾過装置の一部切り欠き正面図である。
【図２】同前処理槽の平面図である。
【図３】本発明の第２の実施の形態における緩速濾過装置の概略説明図である。
【図４】本発明の第３の実施の形態における緩速濾過装置の濾過槽に使用される泥状物質除去装置の斜視図である。
【図５】同泥状物質除去装置の断面図である。
【図６】同緩速濾過装置の前処理槽の一部切り欠き正面図である。
【図７】同前処理槽の平面図である。
【発明を実施するための形態】
【００１５】
以下、本発明の実施の形態を、図面を用いて具体的に説明する。
先ず、第１の実施の形態について図１および図２に基づき説明すると、図において、１は緩速濾過装置で、この緩速濾過装置１は円筒状の濾過槽２と、この濾過槽２に送り込まれる原水を前処理するための円筒状の前処理槽３とから構成される。前記前処理槽３は濾過槽２に送り込まれる原水を前処理するために、内底部にエアーの供給部４が設けられ、このエアーの供給部４の複数本のパイプ４ａの先端からエアーを噴出させて前処理槽３に送り込まれた原水を撹拌し原水中に存在するトリクロロエチレンやテトラクロロエチレンなどの揮発性の有害物質を曝気させるようにしてある。なお、前処理槽３内には活性炭の層（図示せず）が設けられ、前処理槽３内の空気中に放出された揮発性の有害物質を活性炭で捕捉して外部の大気中への放出を止めるようになっている。さらに、前処理槽３では原水中に含まれる比重の大きな鉄分などを沈澱させ、濾過槽２への流入を減らすようになっている。前処理槽３の底に溜まった沈澱物は前処理槽３の底部に形成した取り除き口５から取り除かれるようになっている。
【００１６】
次に、前記濾過槽２は透明なアクリル、ポリカーボネートなどの耐熱性、耐寒性、耐震性に優れた材料で円筒状に作られており、この濾過槽２の内部には最下端に最大径が１５〜２０ｍｍ程度の大きさの砕石層６と、この砕石層６の上に位置する粒径が１０〜１５ｍｍ程度の大きさの玉砂利層７と、この玉砂利層７の上に位置する粒径が０．３〜１ｍｍの大きさの支持砂層８と、この支持砂層８の上に支持砂層８の砂の最小粒径よりも小さな粒径、具体的には粒径が０．０８〜０．２９ｍｍの大きさの砂からなり上段側ほど粒径が小さくなるように積層された細砂層９が設けられている。なお、砕石層６、玉砂利層７、支持砂層８、細砂層９の厚みについては、砕石層６および玉砂利層７はそれぞれ約５０ｍｍ、支持砂層８は約１００ｍｍ、細砂層９は約２５０ｍｍとなるように設定されている。なお、支持砂層８に使用されている砂は粒径が０．３〜１ｍｍの大きさであるが、この支持砂層８の支持砂ついても上段側ほど粒径が小さくなるように積層されている。
【００１７】
このように下から砕石層６、玉砂利層７、支持砂層８、細砂層９が積層状態で設けられた濾過槽２の中には前記細砂層９の上にメッシュの大きさが０．１ｍｍ程度のステンレス製のネット１０が細砂層９の最上段を覆うように載せられる。そして、このネット１０は線径の細い線材で作られていて、水圧などに対する強度が不充分である場合は、図面に示すようにネット１０の上にネット１０を構成する線径よりも太い線材で作られメッシュの大きさが０．３ｍｍ程度のステンレス製の補強用のネット１１を載せるようにする。このように細砂層９の上に載せられた前記ネット１０は濾過槽２の上から供給された原水中に含まれる化石土などの泥状物質を受け止める役目を行なうものである。
【００１８】
図中、１２は前記前処理槽３で処理された原水を取り入れるために濾過槽２の上端近傍に設けられた原水取り入れ口、１３は濾過槽２の下端に設けた処理水取り出し口、１４は前記原水取り入れ口１２とネット１１との間の位置で濾過槽２の途中に設けられた原水引き抜き口である。
【００１９】
上記構成において、前記前処理槽３には例えば地下から汲み上げられた地下水が原水として供給され、比重の重い鉄分などは前処理槽３の底部に沈み、比重の軽い小さな鉄分や化石土などの泥状物質などは濾過槽２に送り込まれる。前処理槽３ではエアーの供給部４の複数本のパイプ４ａの先端からエアーが噴出されて原水を撹拌し、原水中に存在するトリクロロエチレンやテトラクロロエチレンなどの揮発性の有害物質を曝気させて分解させ前処理槽３内の空気中に放出された揮発性の有害物質を活性炭で捕捉して外部の大気中への放出を止めるものである。また、この前処理槽３でエアーを噴出させる際、エアーの供給部４でエアーの摩擦熱が発生し、その摩擦熱で加熱されたエアーにより原水を昇温させることができる。通常、地下から引き上げられた地下水（原水）の温度は１４℃程度であり、その地下水（原水）の温度を加熱されたエアーの噴出により２０℃近くまで昇温させることができる。この前処理槽３から濾過槽２に送り込まれる地下水（原水）の温度は２０〜２２℃程度であるのが微生物の繁殖に好ましく、エアーの噴出により昇温した地下水（原水）の温度が２０〜２２℃に達しない場合は別の温度調節手段を併用して原水の温度を２０〜２２℃程度に調整するものである。さらに、前処理槽３の原水の中でエアーを噴出させてエアーを送り込むことにより原水中の酸素量を増やすことができる。
【００２０】
このように前処理槽３で比重の重い鉄分などが除去され、昇温され、溶存酸素量が増やされた原水は必要に応じてポンプ（図示せず）を用いて透明な濾過槽２に送り込まれる。濾過槽２に送り込まれた原水は前記ネット１１，１０を通り、前記細砂層９、支持砂層８、玉砂利層７、砕石層６を通過し、濾過された処理水は処理水取り出し口１３より取り出される。ところで、濾過槽２は耐熱性、耐寒性に強い透明な材料で作られており、濾過槽２内における水温が外気温に影響されないように構成されており、水温２０〜２２℃程度に調整された原水が濾過槽２内に存在すること、濾過槽２は透明であり耐熱性、耐寒性に優れ透光性に優れていること、原水中の酸素量が多いことにより濾過槽２内に微生物を繁殖させる環境が整い、ネット１０の下側の前記細砂層９上で原水中の微生物が捕捉されて徐々に繁殖して微生物膜を形成する。そして、この微生物膜により、自然の浄化力と微生物による分解作用で水中の濁りや雑菌だけでなく、有害成分からカビ臭の成分まで取り除くことができる。なお、原水中に含まれる化石土などの泥状物質はメッシュの大きさが０．１ｍｍ程度の前記ネット１０で受け止められ、ネット１０上に堆積する。ネット１０の上に堆積した泥状物質は泥状物質の堆積量が多くなることにより水処理速度が低下したことを確認した時点でネット１０上に重なるネット１１をネット１０から持ち上げるなどし、かかる状態で吸引ポンプ（図示せず）を介して泥状物質吸引口１５で吸引され、濾過槽２の外部に取り出される。そのとき、前記原水引き抜き口１４を開放して、原水引き抜き口１４のレベルまで最上段の細砂層９の上に存在する原水の量を減らすことによりネット１０上での汚れた原水の量が少なくなる。そして、ネット１０上に堆積した泥状物質を泥状物質吸引口１５で取り除きながら、原水取り入れ口１２からの原水の供給を停止させることなく連続運転が可能となる。なお、濾過槽２内における原水には酸素が多量に含まれており、繁殖した微生物膜に酸素が付着して藻状に発生した微生物膜は上に浮き上がり、前記原水引き抜き口１４より排出される。従って、ネット１１上の微生物膜による目詰まりが防止される。
【００２１】
以上のように本緩速濾過装置によれば、粒径が０．０８〜０．２９ｍｍの大きさの砂からなり上段側ほど粒径が小さくなるように積層された細砂層９の最上部で塩素で除去できない原虫（クリプトスポリジウム、サイクロスポーラー、ジアルジア）などを捕獲するとともに、水中でほとんど溶けないダイオキシンをも細砂層９の最上部で捕獲するものであり、また前記ネット１０上に堆積した泥状物質などの除去を吸引ポンプで行なうようになっており、そのときネット１０上に堆積した泥状物質を吸引ポンプを介して前記泥状物質吸引口１５で取り除きながら、原水取り入れ口１２からの原水の供給を停止させることなく連続運転が可能となる。さらに、原水中に存在するトリクロロエチレンやテトラクロロエチレンなどの揮発性の有害物質の分解処理を前処理槽３におけるエアーの供給部４よりエアーを供給することにより行なうようになっており、濁度の安全基準をクリアした飲み水として人体に安全な処理水を得ることができる。
【００２２】
ところで、本実施の形態では緩速濾過装置で処理される原水は地下から汲み上げられた地下水であるが、処理される原水は必ずしも地下水でなくても良く、河川水、工場廃水などであっても良い。河川水は季節により水温が変化するため、前記エアーの供給部４で発生する摩擦熱では原水の温度を２０〜２２℃程度に調整することが不可能である場合があり、その場合は別の温度調節手段を併用して原水の温度を２０〜２２℃程度に調整するようにすれば良い。とにかく、濾過槽２内での原水の温度が２０〜２２℃程度に保持できるようにすれば良い。
【００２３】
さらに、支持砂層８の上端と細砂層９の下端との間に前記ネット１０と同様にメッシュの大きさが０．１ｍｍ程度のステンレス製のネットを介在させるようにしても良く、これにより細砂層９の砂が支持砂層８の中に沈むのを確実に止めることが可能となる。
【００２４】
さらに、上記した透明な濾過槽２を上下方向に積上げ、所謂多段式にすることによって、水の処理量を上げるために従来から緩速濾過装置の広い敷地が必要であるという問題を解決でき、しかも透明な濾過槽２を横方向に並べる場合でも適当間隔開けることにより各濾過槽２への集光量を減少させることなく、且つ濾過効率の低下もなく、狭い場所でも水の処理量を上げることができる。
【００２５】
そして、本緩速濾過装置は前述のように透明で耐熱性、耐寒性に強い濾過槽２内に水温２０〜２２℃程度に調整され酸素量が多い原水を処理するもので、微生物を繁殖させる環境が整うことにより、濾過槽２内に設ける細砂層９や支持砂層８などからなる濾過層の層厚を薄くしても緩速濾過装置として優れた処理効果が得られ、その結果濾過槽２の高さを低くできるという特長を有し、上記のように多段式に積み上げる場合でも全体高さを低くできる。
【００２６】
以上、第１の実施の形態について述べたが、図３に示す第２の実施の形態のように、前記前処理槽３に送り込まれる原水中に汚濁泥状物質が多量に含まれる場合、前処理槽３の手前、例えば河川水の取水口１６の上手側表面にメッシュの大きさが０．１ｍｍ程度のステンレス製のネット１７を装着し、このネット１７により殆どの泥状物質が取り除かれた河川水を取水口１６より引き込んで、前記前処理槽３に送り込むようにすることも可能である。この第２の実施の形態において、他の構成は第１の実施の形態と同様である。このように、河川水の取水口１６の上手側表面にメッシュの大きさが０．１ｍｍ程度のネット１７を装着することにより、前処理槽３に送り込まれた原水中には汚濁泥状物質は殆ど含まれず、その後濾過槽２に送り込まれる原水中にも汚濁泥状物質は殆ど含まれていないので、原水中に含まれている環境ホルモンや各種化学物質は濾過槽２の中で生物処理により効率良く取り除かれる。なお、ネット１７には泥状物質が付着堆積するため、ネット１７に付着した泥状物質を定期的に取り除く必要がある。
【００２７】
さらに、図４〜図７に示す第３の実施の形態のように、前記前処理槽３内にこの前処理槽３の内面との間隔が１０ｃｍ程度あくように、上端が開放し下端が閉じられた筒状で周囲の側壁１８ａに無数の孔部１８ａ’が形成された籠体１８と、この籠体１８の周囲の側壁１８ａを外側から覆うように籠体１８に装着されたメッシュの大きさが０．１ｍｍ程度のステンレス製のネット１９からなる泥状物質除去装置２０が装備するようにしても良い。そして、この籠体１８の内底部にエアーの供給部４が設けられる。さらに、籠体１８の底部には籠体１８の底部に溜まった沈殿物を取り除く取り除き口２１が設けられている。他の構成は第１の実施の形態と同様である。
【００２８】
このように前処理槽３内に泥状物質除去装置２０を装備するという構成により、泥状物質除去装置２０の外側で前処理槽３内に入った井戸水などの原水は原水中に含まれる汚濁泥状物質が前記ネット１９により籠体１８内への侵入を止められた状態で籠体１８内に入り、前記第１の実施の形態と同様に原水中の比重の重い鉄分などが下端に沈み、原水は昇温され、溶存酸素量が増やされた状態で籠体１８の中央部から引き抜かれて透明な濾過槽２に送り込まれる。
【００２９】
この実施の形態においても第２の実施の形態と同様に濾過槽２に送り込まれる原水中に汚濁泥状物質は殆ど含まれていないので、原水中に含まれている環境ホルモンや各種化学物質は濾過槽２の中で生物処理により効率良く取り除かれる。なお、泥状物質除去装置２０のネット１９には泥状物質が付着堆積するため、籠体１８を定期的に前処理槽３から外に引き上げてネット１９に付着した泥状物質を取り除く必要がある。
【００３０】
つまり、第２および第３の実施の形態ともに濾過槽２よりも上手側で原水中に含まれる汚濁泥状物質を取り除こうとするものである。
さらに、地下水をボーリングするためのホースの先端取水口の外側を覆うようにメッシュの大きさが０．１ｍｍ程度のステンレス製のネットを装着することも可能であり、これにより取水された原水中の例えば化石土などを含む汚濁泥状物質がネットにより取り除かれた状態で原水は前処理槽に送り込まれることになる。
【産業上の利用可能性】
【００３１】
本発明の緩速濾過装置は、地下水や河川水などの原水から有害成分を取り除き、濁度の安全基準をクリアした飲み水として人体に安全な処理水を得ることができる従来の緩速濾過装置にない画期的な緩速濾過装置である。
【符号の説明】
【００３２】
１          緩速濾過装置
２          濾過槽
３          前処理槽
４          エアーの供給部
４ａ        パイプ
５          取り除き口
６          砕石層
７          玉砂利層
８          支持砂層
９          細砂層
１０，１１    ネット
１２          原水取り入れ口
１３          処理水取り出し口
１４          原水引き抜き口
１５          泥状物質吸引口
１６          引き込み口
１７          ネット
１８          籠体
１８ａ        側壁
１８ａ’      孔部
１９          ネット
２０          泥状物質除去装置
【図１】
2010179298.tif 000003
【図２】
2010179298.tif 000004
【図３】
2010179298.tif 000005
【図４】
2010179298.tif 000006
【図５】
2010179298.tif 000007
【図６】
2010179298.tif 000008
【図７】
2010179298.tif 000009